(57)【要約】【課題】交換作業を短時間で行うことができるファンユニットの取付構造をを提供する。【解決手段】本体キャビネット（筐体）１とファンユニット８との間には、係合爪Ｂ及び開口（係合孔）２８を有し、本体キャビネットに対してファンユニットを奥側に向けてスライド移動することで係合爪と係合孔とが係合状態となった場合には、筐体に対してファンユニットが上下方向及び左右方向に移動することを規制する第１係合手段４３を設けてある。さらに、本体キャビネットとファンユニットとの間には、段付きネジ（係合凸部）と係合孔（係合凹部）３８ａとを有し、本体キャビネットに対してファンユニットを奥側に向けてスライド移動することで段付きネジと係合孔とが係合状態となった場合には、筐体に対してファンユニットが前後方向に移動することを規制する第２係合手段を設けてある。【選択図】        図４
2006329592.tif 000002
【特許請求の範囲】
【請求項１】
開口を備える筐体の内部の奥側の壁にファンユニットを取り付けるファンユニットの取付構造において、
係合爪及び係合孔を有し、筐体に対するファンユニットの奥側へのスライド移動により係合爪と係合孔とが係合状態となった場合には、筐体に対してファンユニットが上下方向及び左右方向に移動することを規制する第１係合手段を筐体とファンユニットとの間に設けるとともに、
係合状態となった場合には、筐体に対してファンユニットが前後方向に移動することを規制する第２係合手段を筐体とファンユニットの手前側との間に設けたことを特徴とするファンユニットの取付構造。
【請求項２】
開口を備える筐体の内部の奥側の壁にファンユニットを取り付けるファンユニットの取付構造において、
係合爪及び係合孔を有し、筐体に対するファンユニットの奥側へのスライド移動により係合爪と係合孔とが係合状態となった場合には、筐体に対してファンユニットが上下方向及び左右方向に移動することを規制する第１係合手段を筐体とファンユニットとの間に設けるとともに、
係合凹部及び係合凸部を有し、筐体に対するファンユニットの奥側へのスライド移動により係合凹部と係合凸部とが係合状態となった場合には、筐体に対してファンユニットが前後方向に移動することを規制する第２係合手段を筐体とファンユニットとの間に設けたことを特徴とするファンユニットの取付構造。
【請求項３】
ファンユニットを壁の手前側に配置する第１部品と壁の奥側に配置するファンとで構成し、
ファンと第１部品とを連結するガイド部材を、ファン又は第１部品のいずれか一方に設け、
ガイド部材に挿入し、ファンと第１部品とを連結する挿入部材を残りの一方に設けることを特徴とする請求項１又は２に記載のファンユニットの取付構造。
【発明の詳細な説明】
【技術分野】
【０００１】
本発明は、ファンユニットの取付構造に関するものである。
【背景技術】
【０００２】
自動販売機の中には、開口を備える本体キャビネット（筐体）の内部に商品を収容する収容庫を形成し、収容庫の内部に冷却した空気を循環することで商品を冷却しているもの、又は収容庫の内部に加温した空気を循環することで商品を加温しているものがある。
【０００３】
このような自動販売機では、図９に示すように、収容庫の内部に空気を循環させるファンユニット５０が備えられている。
【０００４】
ファンユニット５０は、例えば空気を冷却する蒸発器５２（エバポレータ）と空気を循環するファン５３とで構成されている。
【０００５】
蒸発器５２は、直方体状に形成してあり、本体キャビネットの奥側の壁５１と平行に配置する側部５２ａ，５２ｂにフランジ５２ｃ，５２ｄが設けられている。
【０００６】
ファン５３は、整流部５４とファン本体部５５とで構成されている。整流部５４は、蒸発器５２から放出される空気をファン本体部５５に導くためのものであって直方体状に形成してあり、上部にフランジ５４ａが設けられている。フランジ５４ａは、蒸発器５２の厚さに対応する長さだけ本体キャビネットの奥側に向けて突出し、その後、上方に向けて延在するようＬ字形状を成す態様で形成されている。
【０００７】
ファン本体部５５は、円柱状に形成してあって、壁５１に対して整流部５４の手前側に配置してあり、下部に取付板５５ａが設けられている。
【０００８】
このようなファンユニット５０を本体キャビネットの奥側の壁５１に取り付ける場合には、先ず、壁５１に設けたネジ孔Ｈ１と蒸発器５２の一方のフランジ５２ｃに設けた貫通孔Ｈ２とが一致し、壁５１と蒸発器５２のフランジ５２ｃとが接触し、且つ壁５１に設けた開口５１ａに対応するよう蒸発器５２を配置する。次に、ネジ孔Ｈ１にネジＢ１を螺合して蒸発器５２を壁５１に取り付ける。
【０００９】
次いで、壁５１に設けたネジ孔Ｈ３とファン５３のフランジ５４ａに設けた貫通孔Ｈ４が一致し、床に設けた不図示のネジ孔とファン５３の取付板５５ａに設けた貫通孔Ｈ５とが一致し、蒸発器５２の他方のフランジ５２ｄと整流部５４に設けた不図示のフランジとが接触するようファン５３を配置する。次に、図１０に示すように、ネジ孔Ｈ３にネジＢ２を螺合し、且つ床に設けたネジ孔にネジＢ３を螺合してファン５３を本体キャビネットの壁５１に取り付け、本体キャビネットにファンユニット５０を取り付ける。
【発明の開示】
【発明が解決しようとする課題】
【００１０】
ところで、上述したファンユニット５０の取付構造では、蒸発器５２の故障やメンテナンス等の理由よって蒸発器５２の交換を行う場合に、以下に記載する問題があった。すなわち、ネジＢ１，Ｂ２を締めるとき及びネジＢ１，Ｂ２を緩めるとき、本体キャビネットの奥側の壁５１とファンユニット５０とをネジＢ１，Ｂ２で取り付けているので、本体キャビネットの奥に作業者の手を入れなければならない。よって、従来のファンユニット５０の取付構造では、交換作業を容易に行うことができず、交換作業のために多大な時間を要する問題があった。
【００１１】
従って、この発明は、上記のような問題を解決するためになされたもので、交換作業を短時間で行うことができるファンユニットの取付構造を提供することを目的とする。
【課題を解決するための手段】
【００１２】
上記の目的を達成するために、本発明の請求項１に係る発明は、開口を備える筐体の内部の奥側の壁にファンユニットを取り付けるファンユニットの取付構造において、係合爪及び係合孔を有し、筐体に対するファンユニットの奥側へのスライド移動により係合爪と係合孔とが係合状態となった場合には、筐体に対してファンユニットが上下方向及び左右方向に移動することを規制する第１係合手段を筐体とファンユニットとの間に設けるとともに、係合状態となった場合には、筐体に対してファンユニットが前後方向に移動することを規制する第２係合手段を筐体とファンユニットの手前側との間に設けたことを特徴とする。
【００１３】
また、本発明の請求項２に係るファンユニットの取付構造は、開口を備える筐体の内部の奥側の壁にファンユニットを取り付けるファンユニットの取付構造において、係合爪及び係合孔を有し、筐体に対するファンユニットの奥側へのスライド移動により係合爪と係合孔とが係合状態となった場合には、筐体に対してファンユニットが上下方向及び左右方向に移動することを規制する第１係合手段を筐体とファンユニットとの間に設けるとともに、係合凹部及び係合凸部を有し、筐体に対するファンユニットの奥側へのスライド移動により係合凹部と係合凸部とが係合状態となった場合には、筐体に対してファンユニットが前後方向に移動することを規制する第２係合手段を筐体とファンユニットとの間に設けたことを特徴とする。
【００１４】
また、本発明の請求項３に係るファンユニットの取付構造は、上記請求項１又は２において、ファンユニットを壁の手前側に配置する第１部品と壁の奥側に配置するファンとで構成し、ファンと第１部品とを連結するガイド部材を、ファン又は第１部品のいずれか一方に設け、ガイド部材に挿入し、ファンと第１部品とを連結する挿入部材を残りの一方に設けることを特徴とする。
【発明の効果】
【００１５】
本発明の請求項１に係るファンユニットの取付構造によれば、係合爪及び係合孔を有し、筐体に対するファンユニットの奥側へのスライド移動により係合爪と係合孔とが係合状態となった場合には、筐体に対してファンユニットが上下方向及び左右方向に移動することを規制する第１係合手段を筐体とファンユニットとの間に設けるとともに、係合状態となった場合には、筐体に対してファンユニットが前後方向に移動することを規制する第２係合手段を筐体とファンユニットの手前側との間に設けたので、筐体に対してファンユニットを奥側へスライド移動することで第１係合手段を係合状態とし、且つ第２係合手段を係合状態とすればファンユニットを筐体に取り付けることができる。よって、ファンユニットを筐体に取り付けるため、ファンユニットと筐体の奥側の壁とをネジ止めする必要がないから、作業者の手を筐体の奥に入れることを不要にできる。従って、ファンユニットの交換作業を容易に行うことができ、それにより交換作業を短時間で行うことができる。
【００１６】
本発明の請求項２に係るファンユニットの取付構造によれば、係合爪及び係合孔を有し、筐体に対するファンユニットの奥側へのスライド移動により係合爪と係合孔とが係合状態となった場合には、筐体に対してファンユニットが上下方向及び左右方向に移動することを規制する第１係合手段を筐体とファンユニットとの間に設けるとともに、係合凹部及び係合凸部を有し、筐体に対するファンユニットの奥側へのスライド移動により係合凹部と係合凸部とが係合状態となった場合には、筐体に対してファンユニットが前後方向に移動することを規制する第２係合手段を筐体とファンユニットとの間に設けたので、ファンユニットを奥側に向けてスライド移動することで、第１係合手段及び第２係合手段を係合状態として、ファンユニットを筐体に取り付けることができる。よって、ファンユニットを筐体に取り付けるため、ファンユニットと筐体の奥側の壁とをネジ止めする必要がないから、作業者の手を筐体の奥に入れることを不要にできる。従って、ファンユニットの交換作業を容易に行うことができ、それにより交換作業を短時間で行うことができる。
【発明を実施するための最良の形態】
【００１７】
以下に添付図面を参照して、本発明に係るファンユニットの取付構造の好適な実施の形態を詳細に説明する。
【００１８】
図１は、自動販売機の内部を開放した状態の斜視図、図２は、図１に示した自動販売機の断面側面図、図３は、図１に示した自動販売機が備える温度調節装置を示した説明図である。以下、これらの図を参照しながら、ファンユニットの取付構造を適用した自動販売機の構成について説明する。
【００１９】
ここで例示する自動販売機は、缶入り飲料やペットボトル入り飲料等の商品を販売するためのもので、本体キャビネット（筐体）１、内扉２及びメインドア３を備えている。
【００２０】
本体キャビネット１は、複数の鋼板を適宜組み合わせることによって構成したもので、前面が開口した直方体状を成している。本体キャビネット１の奥側には、壁２６を設けることによってダクト２７を形成してある。
【００２１】
本体キャビネット１の内部には、３つの独立した収容庫４ａ，４ｂ，４ｃが並設してあるとともに、これら収容庫４ａ，４ｂ，４ｃの下方となる位置に唯一の機械室５を設けてある。
【００２２】
収容庫４ａ，４ｂ，４ｃは、飲料缶やペットボトル等の商品を所望の温度に維持した状態で収容するためもので、それぞれの上方部にコラム状のラック６ａ，６ｂ，６ｃを配設してある一方、シュータ７によって区画される下方部にファンユニット８を設けてある。
【００２３】
ファンユニット８は、例えば蒸発器（エバポレータ）１１とファン２０とで構成されている。蒸発器１１は、温度調節装置１０の低温側熱交換器である。ファン２０は、ヒータ２２及びモータ２１を内蔵している。ヒータ２２は、収容庫４ａ，４ｂ，４ｃの内部の空気を加温するものである。モータ２１は、稼動することによってファン２０を回転するものである。
【００２４】
機械室５は、上述した収容庫４ａ，４ｂ，４ｃで共通に使用する機械部品を収容するためのものである。具体的には、機械室５の内部に、圧縮機１２、凝縮器１３、膨張器１４、庫外ファン２３及び庫外ファン用モータ２４といった温度調節装置１０の機械部品を配設してある。凝縮器１３は、温度調節装置１０の高温側熱交換器である。膨張器１４から各収容庫４ａ，４ｂ，４ｃに配設した蒸発器１１に至る冷媒供給管には、駆動する蒸発器１１を選択するための電磁バルブ１５が個別に設けてある。
【００２５】
上述した圧縮機１２、凝縮器１３、膨張器１４、電磁バルブ１５、蒸発器１１、ファン２０、モータ２１、ヒータ２２、庫外ファン２３及び庫外ファン用モータ２４によって、温度調節装置１０は構成してある。温度調節装置１０は、収容庫４ａ，４ｂ，４ｃの内部に冷却した空気を循環することで商品を冷却する。もちろん、温度調節装置１０は、冷却から加温に切り換えることで、収容庫４ａ，４ｂ，４ｃの内部に加温した空気を循環することで商品を加温する。
【００２６】
内扉２及びメインドア３は、それぞれ本体キャビネット１の一側縁部に支承させてある。
【００２７】
内扉２は、本体キャビネット１に設けた収容庫４ａ，４ｂ，４ｃの前面を覆うに十分な大きさを有したもので、鋼材によって構成してある。図示例では、内扉２を上下に分割し、それぞれを個別に開閉できるよう構成してある。
【００２８】
メインドア３は、本体キャビネット１の前面開口を覆うに十分な大きさを有したもので、鋼材により堅牢に構成してある。
【００２９】
次に、このような自動販売機が備える本体キャビネット１及びファンユニット８の構成を説明する。
【００３０】
本体キャビネット１の奥側に設けた壁２６には、図４に示すように、矩形状の開口（係合孔）２８を設けてあり、開口２８に沿って筒部２９を形成してある。筒部２９は、壁２６の表面に対して直交し、且つ壁２６から突出するよう形成された部分である。筒部２９の先端には、フランジ３０が設けてある。フランジ３０を構成する板材は、筒部２９を構成する板材に対して直交し、且つ壁２６の表面に対して平行となるよう配置してある。
【００３１】
ファンユニット８は、上述したように、蒸発器１１とファン２０とで構成してある。
【００３２】
蒸発器１１は、直方体状に形成してあり、壁２６の表面と平行に配置する側部１１ａ，１１ｂには、フランジ１１ｅ，１１ｆが設けてある。フランジ１１ｅ，１１ｆは、壁２６と直角に配置する側部１１ｃ，１１ｄから突出する態様で、左右方向に延在するよう形成してある。奥側のフランジ１１ｅには、開口２８の四隅に対応する個所に切欠Ａを形成してある。切欠Ａを形成した個所には、係合爪Ｂを設けてある。係合爪Ｂは、側部１１ｂの両端から奥側に向けて突出するよう形成してある。上側に配置した係合爪Ｂと下側に配置した係合爪Ｂとの間隔は、開口２８の長さとほぼ同一である。しかも、図５に示すように、蒸発器１１の左側に配置した係合爪Ｂと右側に配置した係合爪Ｂとの間隔は、開口２８の幅とほぼ同一である。
【００３３】
蒸発器１１の上部であって側部１１ｃ，１１ｄの上部には、蒸発器１１とファン２０とを連結し、且つ後述するファン２０の挿入板（挿入部材）３３を案内する横断面がＬ字状のガイド部材（ガイド手段）１１ｇ，１１ｈを設けてある。
【００３４】
ガイド部材１１ｇ，１１ｈは、図６に示すように、第１ガイド部Ｃ１，Ｃ２と第２ガイド部Ｄ１，Ｄ２とで構成されている。第１ガイド部Ｃ１，Ｃ２は、側部１１ｃ，１１ｄの上端から上方向に向けて延在するよう設けた部分である。第１ガイド部Ｃ１及び第１ガイド部Ｃ２は、挿入板本体部３４の先端側の幅よりもやや広くなる間隔に配置してある。
【００３５】
第２ガイド部Ｄ１，Ｄ２は、本体キャビネット１の底壁２６ａに対して略平行に配置し、第１ガイド部Ｃ１，Ｃ２の先端から直角方向で互いに近接する方向に向けて延在するよう形成した部分である。第２ガイド部Ｄ１及び第２ガイド部Ｄ２は、挿入板本体部３４の先端側の幅よりもやや狭くなる間隔に配置してある。
【００３６】
ファン２０は、図４及び図５に示すように、整流部３２とファン本体部３７とで構成してある。整流部３２は、ファン本体部３７の手前側に配置してあり、蒸発器１１から放出される空気をファン本体部３７に導くためのものであって直方体状に形成してあり、上部に挿入板３３を設けてある。挿入板３３は、挿入板本体部３４と折曲部３５とを備えている。挿入板本体部３４の基端側は、整流部３２の上部を覆う部分である。挿入板本体部３４の先端側は、基端側よりも幅を狭く形成してあり、蒸発器１１の厚さに対応する長さだけ奥側に向けて突出する部分である。挿入板本体部３４を設けた高さは、蒸発器１１のガイド部材１１ｇ，１１ｈを設けた高さと同一である。折曲部３５は、挿入板本体部３４の先端に、上方向に向けて突出するよう設けた部分である。折曲部３５の幅は、第２ガイド部Ｄ１の先端と第２ガイド部Ｄ２の先端との間隔よりもやや狭い。
【００３７】
ファン本体部３７は、直方体状に形成してあり、モータ２１及びヒータ２２を内蔵し、取付板３８を備えている。取付板３８は、例えば金属材料を用いて形成し、ファン本体部３７の手前側にネジ止めしてあり、第１板状部材３９と第２板状部材４０と第３板状部材４１とを備えている。
【００３８】
第１板状部材３９及び第２板状部材４０は、図７に示すように、ファン本体部３７の両側部にネジ止めした個所から、斜め上方に向けて延在するよう配置してある。第１板状部材３９及び第２板状部材４０の先端には、第３板状部材４１を架け渡す態様で配置してある。第３板状部材４１は、平面視がＴ字形状を成しており、中央から手前側に向けて突出する個所の先端には、係合孔（係合凹部）３８ａを設けてある。
【００３９】
なお、上述した壁２６に設けた開口２８と、蒸発器１１に設けた係合爪Ｂとで第１係合手段４３を構成してあり、ファン２０の取付板３８に設けた係合孔３８ａと、本体キャビネットの底壁２６ａに設けた段付きネジ（係合凸部）４２とで第２係合手段４４を構成してある。
【００４０】
このように構成してあるファンユニット８を本体キャビネット１に取り付ける場合には、先ず、図４に示すように、ガイド部材１１ｇとガイド部材１１ｈとの間に挿入板３３の先端側が入り、且つ蒸発器１１が備える手前側のフランジ１１ｆとファン２０が備える不図示のフランジとが接触するまで、蒸発器１１に対してファン２０を手前側から奥側に向けて移動する。
【００４１】
ガイド部材１１ｇとガイド部材１１ｈとの間に挿入板３３が入り、蒸発器１１が備えるフランジ１１ｆとファン２０が備えるフランジとが接触した状態で、蒸発器１１に対してファン２０を左右方向へ移動しようとした場合、又はファン２０に対して蒸発器１１を左右方向へ移動しようとした場合には、挿入板３３の先端側の両側部がガイド部材１１ｇ，１１ｈの第１ガイド部Ｃ１，Ｃ２に接触するので、蒸発器１１に対するファン２０の左右方向への移動が規制される。
【００４２】
さらに、ガイド部材１１ｇとガイド部材１１ｈとの間に挿入板３３が入り、蒸発器１１が備えるフランジ１１ｆとファン２０が備えるフランジとが接触した状態で、蒸発器１１に対してファン２０を上方向へ移動しようとした場合、又はファン２０に対して蒸発器１１を上方向へ移動しようとした場合には、挿入板３３の先端側の上部が、蒸発器１１の第２ガイド部に接触するので、蒸発器１１に対するファン２０の上方向への移動が規制される。なお、蒸発器１１及びファン２０への下方向への移動は、底壁２６ａによって規制される。
【００４３】
従って、ガイド部材１１ｇとガイド部材１１ｈとの間に挿入板３３が入り、蒸発器１１が備えるフランジ１１ｆとファン２０が備えるフランジとが接触した状態では、蒸発器１１に対するファン２０の上下方向及び左右方向への移動が規制されるとともに、ファン２０に対する蒸発器１１の上下方向及び左右方向への移動が規制される。このように、蒸発器１１とファン２０とを上下方向へ移動すること及び左右方向へ移動することを規制することで、蒸発器１１とファン２０とを連結し、ファンユニット８を構成する。
【００４４】
次に、取付板３８の第３部材４１を上方向に付勢しながら、開口２８に４つの係合爪Ｂを挿入し、且つファンユニット８の係合孔３８ａと底壁２６ａに設けた段付きネジ４２とが係合するよう、壁２６に設けたフランジ３０と蒸発器１１の奥側のフランジ１１ｅとが接触し、且つ壁２６に設けたフランジ３０と挿入板３３の折曲部３５とが接触するまで壁２６の手前側から壁２６の奥側に向けてファンユニット８をスライド移動する。この状態では、開口２８に係合爪Ｂを挿入することで、第１係合手段４３が係合状態となり、且つ段付きネジ４２と取付孔とが係合することで、第２係合手段４４が係合状態となる。
【００４５】
第１係合手段４３及び第２係合手段４４が係合状態となった態様で、ファンユニット８を壁２６に対して左右方向へ移動しようとした場合には、係合爪Ｂの側部が筒部２９の内面側部に突き当たるため、ファンユニット８を壁２６に対して左右方向へ移動することができない。換言すれば、開口２８に係合爪Ｂを挿入することで、壁２６に対するファンユニット８の左右方向への移動を規制する。
【００４６】
しかも第１係合手段４３及び第２係合手段４４が係合状態となった態様では、ファンユニット８を壁２６に対して上方向へ移動しようとした場合、係合爪Ｂの上部が筒部２９の内面上部に突き当たるため、ファンユニット８を壁２６に対して上方向へ移動することができない。換言すれば、開口２８に係合爪Ｂを挿入することで、壁２６に対するファンユニット８の上方向への移動を規制する。なお、ファンユニット８の下方向への移動は、底壁２６ａによって規制される。
【００４７】
さらに、第１係合手段４３及び第２係合手段４４が係合状態となった態様で、ファンユニット８を壁２６に対して前後方向へ移動しようとした場合、係合孔３８ａに段付きネジ４２が係合しているため、ファンユニット８を壁２６に対して前後方向へ移動することができない。換言すれば、係合孔３８ａと段付きネジ４２とを係合状態にすることで、壁２６に対するファンユニット８の前後方向への移動を規制する。
【００４８】
一方、本体キャビネット１からファンユニット８を取り外す場合には、取付板３８の第３板状部材４１を上方向に付勢しながら、ファンユニット８を手前側に移動する。その後、蒸発器１１に対してファン２０を手前側に移動することで、蒸発器１１とファン２０との連結を解除する。
【００４９】
従って、この実施の形態に係るファンユニットの取付構造によれば、本体キャビネット１に対してファンユニット８を手前側から奥側に向けてスライド移動することで係合状態となる第１係合手段４３と第２係合手段４４とを設けたので、ファンユニット８を奥側へスライド移動するだけでファンユニット８を本体キャビネット１に取り付けることができる。よって、ファンユニット８と本体キャビネット１の奥側の壁２６とをネジ止めすることでファンユニット８を本体キャビネット１に取り付ける必要がないから、作業者の手を本体キャビネット１の奥に入れることを不要にできる。従って、ファンユニット８の交換作業を容易に行うことができ、それにより交換作業を短時間で行うことができる。
【００５０】
なお、上述した実施の形態には、係合孔３８ａと段付きネジ４２とを有し、本体キャビネット１に対するファンユニット８の奥側へのスライド移動により係合孔３８ａと段付きネジ４２とが係合状態となった場合には、本体キャビネット１に対してファンユニット８が前後方向に移動することを規制する第２係合手段４４を本体キャビネット１とファンユニット８との間に設けるもので説明した。しかし、この発明はそれに限られず、第２係合手段は、係合孔３８ａとネジとを有し、本体キャビネット１に対してファンユニット８を奥側へスライド移動した後、係合孔３８ａにネジを通し、ネジでファンユニット８を本体キャビネット１にネジ止めし、本体キャビネット１に対してファンユニット８が前後方向に移動することを規制するものであっても良い。ただし、このような第２係合手段は、本体キャビネット１とファンユニット８の手前側との間に設ける必要がある。
【００５１】
さらに、上述した実施の形態には、蒸発器１１とファン２０とを連結することでファンユニット８を構成し、その後、ファンユニット８を本体キャビネット１に取り付けるもので説明した。しかし、この発明はそれに限られず、本体キャビネット１に蒸発器１１を取り付けた後、蒸発器１１にファン２０を取り付けることでファンユニット８を本体キャビネット１に取り付けても良い。
【００５２】
また、上述した実施の形態には、本体キャビネット１の壁２６に筒部２９を設けるもので説明した。しかし、この発明はそれに限られず、筒部２９を設けず、壁２６に蒸発器１１を直接、取り付けても良い。もちろん、この発明は、それに限られず、筒部２９の代わりにスペーサを設けても良い。
【００５３】
さらに、上述した実施の形態には、蒸発器１１とファン２０とでファンユニット８を構成するもので説明した。しかし、この発明はそれに限られず、例えばシャッタ機構を備えるダクトとファン２０とでファンユニットを構成しても良い。
【００５４】
さらに、上述した実施の形態には、壁２６に設けた開口２８を、係合爪Ｂに係合する係合孔として使用するもので説明した。しかし、この発明はそれに限られず、開口２８と
係合爪Ｂに係合する係合孔とを別々に設けても良い。
【００５５】
さらに、上述した実施の形態には、壁２６に係止孔を設け、ファンユニット８に係合爪Ｂを設けるもので説明した。しかし、この発明はそれに限られず、壁２６に係合爪を設け、ファンユニット８に係止孔を設けて良い。
【００５６】
さらに、上述した実施の形態には、蒸発器１１にガイド部材１１ｇ，１１ｈを設け、ファン２０に挿入板３３を設けるもので説明した。しかし、この発明はそれに限られず、蒸発器１１に挿入板３３を設け、ファン２０にガイド部材１１ｇ，１１ｈを設けても良い。
【図面の簡単な説明】
【００５７】
【図１】本発明に係るファンユニットの取付構造を適用した自動販売機において、その自動販売機の内部を開放した状態を示す斜視図である。
【図２】図１に示した自動販売機の断面側面図である。
【図３】図１に示した自動販売機が備える温度調節装置を示す説明図である。
【図４】本体キャビネットにファンユニットを取り付ける場合を説明する斜視図である。
【図５】本体キャビネットにファンユニットを取り付ける場合を説明する平面図である。
【図６】ファンユニットが備える蒸発器の縦断面図である。
【図７】ファンユニットが備える取付板を示す斜視図である。
【図８】本体キャビネットに取り付けたファンユニットを説明する斜視図である。
【図９】従来の自動販売機において、本体キャビネットにファンユニットを取り付ける場合を説明する斜視図である。
【図１０】従来の自動販売機において、本体キャビネットに取り付けたファンユニットを説明する斜視図である。
【符号の説明】
【００５８】
１    本体キャビネット（筐体）
８    ファンユニット
１１    蒸発器（第１部品）
１１ｇ，１１ｈ    ガイド部材
２６    壁
２８    開口（係合孔）
３３      挿入板（挿入部材）
３８ａ    取付孔（係合凹部）
４２    段付きネジ（係合凸部）
４３    第１係合手段
４４    第２係合手段
Ｂ    係合爪
【図１】
2006329592.tif 000003
【図２】
2006329592.tif 000004
【図３】
2006329592.tif 000005
【図４】
2006329592.tif 000006
【図５】
2006329592.tif 000007
【図６】
2006329592.tif 000008
【図７】
2006329592.tif 000009
【図８】
2006329592.tif 000010
【図９】
2006329592.tif 000011
【図１０】
2006329592.tif 000012